(57)【要約】      （修正有）【課題】回転部材の少なくとも１つの回転パラメータを決定するための決定システムを提供する。【解決手段】ｉ個のアルキメデススパイラルの移行部３によって分離された、交互に入れ換わるＮ極とＳ極とを有する磁気トラック２を有するエンコーダ１と、エンコーダ１の回転を示す各信号を送出するために、磁気トラックに沿って角度分布している複数の磁気感知素子４ａ，４ｂを用いて、エンコーダによって出力された周期的な磁界を検出できる回転センサとを備える。センサは、２つの感知素子４ａ，４ｂによって送出された信号を減算するためのデバイスをさらに備える。２つの感知素子の間に形成される角度γは、（ｉ）「０．５５π＜γ・磁気トラックの対極数＜０．８３π，ｍｏｄｕｌｏ  ２π」、または、（ｉｉ）「１．１７π＜γ・磁気トラックの対極数＜１．４５π，ｍｏｄｕｌｏ  ２π」、を満たす。【選択図】図１
2019191155.tif 000002
【特許請求の範囲】
【請求項１】
回転部材の少なくとも１つの回転パラメータを決定するための決定システムであって、
エンコーダ（１）と、
回転センサと、を備えており、
前記エンコーダは、前記回転部材と連結して動作できるよう、回転部材と接続されて回転するように構成されており、
前記エンコーダは、前記エンコーダの回転を示す周期的な磁気信号を出射可能な磁気トラック（２）が形成されたボディを有しており、
前記トラックは、ｉ個の移行部（３）によって分離された、交互に入れ換わるＮ極およびＳ極の磁極を有しており、
前記移行部のそれぞれは、回転軸に対する極座標において、下記の式、
【数１】
2019191155.tif 000020
によって定義されるアルキメデススパイラルに沿って延在しており、
Ｎｐｐは、前記磁気トラック（２）の極対数であり、
Ｌｐは、前記エンコーダの半径に応じた前記極のそれぞれの極幅であり、
０から２．Ｎｐｐ−１までのｉにおいて、第１スパイラルに対する第ｉスパイラルの回転角θｉは、
【数２】
2019191155.tif 000021
に等しく、
前記回転センサは、複数の磁気感知素子（４ａ，４ｂ）を用いて、前記エンコーダによって出射された周期的な磁界を検出可能であり、
前記感知素子（４ａ，４ｂ）は、前記エンコーダ（１）の回転を示す信号をそれぞれ送出するために、前記磁気トラック（２）に沿って角度分布しており、
前記センサは、２つの感知素子（４ａ，４ｂ）によって送出された前記信号（Ｖ１，Ｖ２）を減算するためのデバイスをさらに備えており、
前記２つの感知素子（４ａ，４ｂ）の間に形成される角度γは、
（ｉ）０．５５π＜γ．Ｎｐｐ＜０．８３π，ｍｏｄｕｌｏ  ２π
または、
（ｉｉ）１．１７π＜γ．Ｎｐｐ＜１．４５π，ｍｏｄｕｌｏ  ２π
を満たす、決定システム。
【請求項２】
前記角度γは、
γ．Ｎｐｐが、
（ｉ）２π／３  ｍｏｄｕｌｏ  ２π
または、
（ｉｉ）４π／３  ｍｏｄｕｌｏ  ２π
に実質的に等しくなる角度である、請求項１に記載の決定システム。
【請求項３】
前記センサは、
自身の間に角度γを形成する２つの感知素子（４ａ，４ｂ）の、２つのグループと、
前記グループのそれぞれの前記感知素子（４ａ，４ｂ）の前記信号を減算するためのデバイスと、を備えており、
前記グループによって送出される前記信号（ＳＩＮ，ＣＯＳ）が直交するように設定された角度αだけ、前記グループが角度オフセットされている、請求項１または２に記載の決定システム。
【請求項４】
前記感知素子（４ａ，４ｂ）の２つのグループ間に形成される前記角度αは、
【数３】
2019191155.tif 000022
に等しい、請求項３に記載の決定システム。
【請求項５】
前記感知素子（４ａ，４ｂ）は、前記磁気トラック（２）の半径Ｒに沿って角度分布している、請求項１から４のいずれか１項に記載の決定システム。
【請求項６】
前記感知素子（４ａ，４ｂ）は、前記磁気トラック（２）のメジアン半径Ｒに沿って角度分布している、請求項５に記載の決定システム。
【請求項７】
前記エンコーダ（１）は、６．Ｌｐ未満の高さを有している、請求項１から６のいずれか１項に記載の決定システム。
【請求項８】
前記感知素子（４ａ，４ｂ）は、
【数４】
2019191155.tif 000023
のオーダの距離の読取エアギャップ距離だけ、前記磁気トラック（２）から離間して配置されている、請求項１から７のいずれか１項に記載の決定システム。
【請求項９】
前記エンコーダ（１）の極対数Ｎｐｐは、６未満である、請求項１から８のいずれか１項に記載の決定システム。
【請求項１０】
前記エンコーダ（１）の極幅Ｌｐは、２〜６ｍｍである、請求項１から９のいずれか１項に記載の決定システム。
【発明の詳細な説明】
【発明の詳細な説明】
【０００１】
本発明は、回転部材の少なくとも１つの回転パラメータを決定するためのシステムに関する。前記システムは、周期的な磁気信号を発するエンコーダと、当該磁界を検出可能な回転センサとを備える。
【０００２】
多くの用途において、回転部材の少なくとも１つの回転パラメータ（例：回転部材の位置、速度、加速度または移動方向）を、リアルタイムかつ最適な品質で識別することが望ましい。
【０００３】
これを行うために、文献ＷＯ２００６／０６４１６９は、可動部材にリジッドに（強固に）取り付けられるように構成（意図）されたエンコーダの使用を提案している。当該エンコーダ上には、複数の感知素子を含むセンサの読取距離（リーディング距離）において、擬似正弦波磁界を出力（出射，放出）できる磁気トラックが形成されている。
【０００４】
有利には、例えば文献ＷＯ２００４／０８３８８１に記載されているように、各々の感知素子は、検出された磁界に応じて抵抗が変化するトンネル磁気抵抗（tunnel magneto resistance，ＴＭＲ）物質ベースの少なくとも１つのパターンを含みうる。
【０００５】
検出された磁界の発生に応じた可動部材の移動パラメータを決定するために、文献ＷＯ２００６／０６４１６９は、各感知素子の抵抗を示す（表す）信号の組み合わせを提供する。これにより、直交しており、かつ、同じ振幅を有している２つの信号を送出できる。当該２つの信号は、前記パラメータを計算するために使用されうる。さらに、この手法（解決策）は、コモンモードノイズに影響されない直交した２つの信号を得るために、４つの信号を２つずつ減算する方法を提供している。
【０００６】
特に、エンコーダは、交互的な（交互に入れ換わる）一連のＮ（North）極およびＳ（South）極を備える。当該交互的な一連のＮ極およびＳ極は、所定の極対数（ポールペア数，磁極ペア数）Ｎｐｐに対して、下記の式、
【０００７】
【数１】
2019191155.tif 000003
【０００８】
で示される、読取半径Ｒに沿った一定の極幅（ポール幅，磁極幅）Ｌｐを規定する。前記感知素子は、直交した信号を送出できるように、距離
【０００９】
【数２】
2019191155.tif 000004
【００１０】
だけ離間して、等間隔に分布している。
【００１１】
用途によっては、エンコーダは、小さい極対数（典型的には６未満）を有さなければならない。その結果、エンコーダの極幅Ｌｐが広くなり、特に数１０ミリメートルのオーダとなる。
【００１２】
しかし、こうした広いポールは、小さい読取エアギャップでは正弦波性が悪い磁気信号を送出する。それゆえ、感知素子を磁気トラックから離間させる必要がある。このことは、前記信号の振幅増加に相反するため、感知素子による良好な検出がなされない。
【００１３】
さらに、磁気信号の正弦波性および振幅を維持するために、広いポールでは、エンコーダのより大きい厚さが必要とされる。このことは、低減された寸法においてエンコーダを統合（一体化）するには好ましくない。また、このことは、より大きい厚さを磁気的に飽和させなければならないため、磁化方法を複雑にする。
【００１４】
さらに、特に文献ＤＥ１０３０９０２７において、Ｎ極とＳ極との間の磁気的な移行部（磁気移行部）がアルキメデススパイラル（螺旋）に沿って延在するエンコーダが知られている。前記スパイラルの各々は、
【００１５】
【数３】
2019191155.tif 000005
【００１６】
という段階的（漸次的）な回転角によって、前記エンコーダ上に分布している。
【００１７】
このタイプのエンコーダの利点は、前記エンコーダの半径に沿った各ポールの極幅Ｌｐが、極対数Ｎｐｐとは無関係になることである。このため、少ないポール数を、検出されるべき磁気信号の正弦波性および振幅に関連する感知素子の適切な配置（位置決め）と調和させることができる。
【００１８】
しかしながら、従来技術は、このようなエンコーダの半径に沿って感知素子を配置することを提案している。このことは、いくつかの問題を提起する。
【００１９】
特に、正弦波性と振幅との間の妥協点を満たすために、感知素子は、
【００２０】
【数４】
2019191155.tif 000006
【００２１】
のオーダのエアギャップ（空隙）距離だけ、磁気トラックから離間して配置される。このため、特に、固定センサと回転エンコーダとの間の機械的相互作用のリスクを避けるために、ポール幅Ｌｐは、通常、２〜６ｍｍでなければならない。
【００２２】
しかし、エンコーダによって送出される磁界のエッジ効果を防ぐために、感知素子は、当該感知素子の配置に必要な半径方向のスペースに加えて、当該半径方向の各側に少なくとも１対の磁極（１つの磁極対）、すなわち各側に２つのＬｐを有する磁気トラックに関連して配置されなければならない。
【００２３】
その結果、エンコーダはかなりの高さ、特に６．Ｌｐを越える高さを有しなければならない。このような高さは、一部の一体化では適用できない。
【００２４】
さらに、１対の磁極上のスパイラルエンコーダによって生成された磁界は、（ｉ）定義上では完全な正弦波である基本波と、（ｉｉ）複数の奇数次高調波（典型的には基本波の５％を表す３次高調波を含む）と、の組み合わせである。センサの位置および読取エアギャップに応じて、この３次高調波の比率ははるかに大きくなり得る。
【００２５】
回転パラメータを正確に決定するために、少なくとも３次高調波がフィルタリングされた信号を測定することが望ましい。しかし、高調波によって生じた誤差に対して任意の固定的な補償（補正）を行うことは困難である。当該誤差は、特に測定条件（エアギャップ、センサの位置）に依存するためである。さらに、大量かつ低コストの用途においては、キャリブレーションを予期することも困難である。
【００２６】
本発明の目的は、特に、決定精度が改善された、回転部材の少なくとも１つの回転パラメータを決定するためのシステムを提案することによって、従来技術の問題を解決することである。さらに、本発明に係るシステムは、磁気信号を送出するエンコーダ（特に、少ない極対数を有する磁気エンコーダ）に対して、特段のスペースの制約を生じさせることなく、検出された磁気信号の周期性と振幅との間の妥協点を提供できる。
【００２７】
この目的のために、本発明は、回転部材の少なくとも１つの回転パラメータを決定するためのシステムを提案する。当該システムは、回転部材の少なくとも１つの回転パラメータを決定するための決定システムであって、エンコーダと、回転センサと、を備えている。前記エンコーダは、前記回転部材と連結して動作できるよう、回転部材と接続されて回転するように構成されている。前記エンコーダは、ボディを有している。前記ボディには、前記エンコーダの回転を示す周期的な磁気信号を出射可能な磁気トラックが形成されている。前記トラックは、ｉ個の移行部によって分離された、交互に入れ換わるＮ極およびＳ極の磁極を有している。前記移行部のそれぞれは、回転軸に対する極座標において、下記の式、
【００２８】
【数５】
2019191155.tif 000007
【００２９】
によって定義されるアルキメデススパイラルに沿って延在している。Ｎｐｐは、前記磁気トラックの極対数である。Ｌｐは、前記エンコーダの半径に応じた前記極のそれぞれの極幅である。０から２．Ｎｐｐ−１までのｉにおいて、第１スパイラルに対する第ｉスパイラルの回転角θｉは、
【００３０】
【数６】
2019191155.tif 000008
【００３１】
に等しい。前記回転センサは、複数の磁気感知素子を用いて、前記エンコーダによって出射された周期的な磁界を検出可能である。前記感知素子は、前記エンコーダの回転を示す信号をそれぞれ送出するために、前記磁気トラックに沿って角度分布している。前記センサは、２つの感知素子によって送出された前記信号を減算するためのデバイスをさらに備えている。前記２つの感知素子（４ａ，４ｂ）の間に形成される角度γは、
（ｉ）０．５５π＜γ．Ｎｐｐ＜０．８３π，ｍｏｄｕｌｏ  ２π
または、
（ｉｉ）１．１７π＜γ．Ｎｐｐ＜１．４５π，ｍｏｄｕｌｏ  ２π
を満たす。
【００３２】
本発明の他の特徴および利点は、添付の図１を参照してなされる以下の説明において明らかになるであろう。図１は、本発明に係る決定システムを図式的に示す。図１は、特に、エンコーダに対する感知素子の配置を示す。図２は、感知素子間の角度に応じた３次高調波のフィルタリングを示す曲線である。
【００３３】
これらの図に関連して、固定構造（固定された構造体）に対する回転部材の少なくとも１つの回転パラメータを決定するためのシステムを説明する。特に、回転部材のパラメータは、当該回転部材の位置、速度、加速度または移動方向の内から選択されうる。
【００３４】
特定の用途では、システムは、ブラシレス直流電動機（電動モータ）の制御に関連して使用されてよい。この場合、特に、固定子（ステータ）に対する回転子（ロータ）の一対のモータの極上の絶対的な角度位置を識別することが可能となる。
【００３５】
決定システムは、エンコーダ１を備える。当該エンコーダは、回転部材と連結して動作できるように、当該回転部材にリジッドに取り付けられるように構成されている。前記エンコーダは、ボディ（本体部）を備える。当該ボディは、特に環状であるが、円盤状であってもよい。当該ボディには、磁気トラック２が形成されている。当該磁気トラックは、前記エンコーダの回転を示す周期的な磁気信号を出射（放出）することが可能である。特に、出射される磁気信号は、正弦波または擬似正弦波であってよい。すなわち、当該磁気信号は、正弦波によって適切に（正確に）近似可能な少なくとも１つの部分を有している。
【００３６】
トラック２は、ｉ個の移行部（遷移部，トランジション）３によって分離（区分）された、交互的な（交互に入れ換わる）Ｎ極およびＳ極を有する。前記移行部の各々は、回転軸に対する極座標（ρ，θ）において、下記の式、
【００３７】
【数７】
2019191155.tif 000009
【００３８】
によって定義されるアルキメデススパイラルに沿って延在している。Ｎｐｐは、磁気トラック２の極対数を示す。Ｌｐは、エンコーダ１の半径に応じた極のそれぞれの極幅を示す。第１スパイラルに対する第ｉスパイラル（ｉ番目のスパイラル）の回転角θｉは、０から２．Ｎｐｐ−１までのｉにおいて、
【００３９】
【数８】
2019191155.tif 000010
【００４０】
に等しい。
【００４１】
その結果、磁気トラック２は、λ＝２．Ｌｐに等しい空間周期を有する擬似正弦波磁気信号を送出する。さらに、アルキメデススパイラル形状によれば、特に、磁気トラック２の極対数Ｎｐｐおよび極幅Ｌｐを、磁気トラック２の半径Ｒとは無関係に選択することが可能となる。
【００４２】
一実施形態によれば、エンコーダ１は、多極磁気トラック２が製造されているのと同じマグネット（磁石）によって形成されている。特に、当該マグネットは、フェライト粒子またはＮｄＦｅＢ等の希土類を含む磁性粒子が分散された、プラスチックまたはエラストマー材料によって製造された環状マトリクスによって形成されてよい。
【００４３】
決定システムは、回転センサを備える。当該回転センサは、固定構造にリジッドに取り付けられるように構成されている。前記センサは、エンコーダ１によって出射された周期的な磁界を検出できる。これを行うために、センサは、複数の磁気感知素子４ａ、４ｂを備える。当該磁気感知素子はそれぞれ、エンコーダ１の回転を示す信号を送出することを目的として、磁気トラック２によって送出される磁界の読取エアギャップに配置されている。
【００４４】
感知素子４ａ、４ｂの各々は、特に、複数の磁気感知センサの内から選択されてよい。例えば、ホール効果、トンネル磁気抵抗（ＴＭＲ）、異方性磁気抵抗（anistropic magneto resistance，ＡＭＲ）、または巨大磁気抵抗（giant magneto resistance，ＧＭＲ）に基づくセンサは、（エンコーダ１に対して法線方向（垂直）または接線方向の）磁界、または、（法線方向成分および接線方向成分によって生じる）回転磁界の成分を測定することができる。
【００４５】
特に、例えば文献ＷＯ２００４／０８３８８１に記載されているように、各パターンは、基準（レファレンス）磁気層と、絶縁分離層と、検出されるべき磁界に対して感度を有する磁気層と、のスタック（積層構造）を有することにより、トンネル接合（ジャンクション）を形成する。当該スタックの抵抗は、磁気層の相対的な磁化方向の関数である。
【００４６】
有利には、各感知素子４ａ、４ｂは、磁界に応じて抵抗が変化する磁気抵抗材料をベースとする少なくとも１つのパターンを含んでいてよい。感知素子４ａ、４ｂは、単一のパターンまたは直列に接続されたパターンのグループを含んでいてよい。
【００４７】
あるいは、例えば、ホール効果素子を利用して、エンコーダ１によって送出される磁界の法線方向成分のみを測定してもよい。法線方向の磁界は、接線方向の磁界よりも高い正弦波性を有する。このため、法線方向の磁界のみを使用することが好ましい。
【００４８】
図１に関して、センサは、２つの感知素子４ａ、４ｂの２つのグループを含む。感知素子４ａ、４ｂは、当該感知素子４ａ、４ｂ間に角度γを成す（形成する）。前記グループは、角度αだけ、角度オフセット（角度的にオフセット）されている。回転部材の回転パラメータを決定することを可能とするために、感知素子４ａ、４ｂのグループによって送出されるＳＩＮ（正弦）信号およびＣＯＳ（余弦）信号は、直交している必要がある。すなわち、ＳＩＮ信号およびＣＯＳ信号は、９０°分のＮｐｐ（９０°／Ｎｐｐ）だけ位相がずれていなければならない。
【００４９】
特に、センサまたは関連するコンピュータにおいて、このような直交位相の信号を使用することによって、例えば、「ルックアップテーブル」（Look-up Table，ＬＵＴ）を補助的に用いたアークタンジェント関数の直接演算、またはＣＯＲＤＩＣタイプの方法により、エンコーダ１の角度位置を決定できることが知られている。
【００５０】
図示の実施形態では、感知素子４ａ、４ｂは、磁気トラック２に沿って角度分布（角度的に分布）している。感知素子４ａ、４ｂの２つのグループ間で形成される角度αは、
【００５１】
【数９】
2019191155.tif 000011
【００５２】
に等しい。
【００５３】
その結果、感知素子４ａ、４ｂの円周方向の分布は、エンコーダ１によって送出される磁界のエッジ効果を克服できる。このため、制限された高さｈ（特に、６．Ｌｐ未満）を有するエンコーダ１を使用することができる。特に、感知素子４ａ、４ｂは、エンコーダ１の端面（エッジ）から可能な限り遠ざけられるように、磁気トラック２の半径Ｒに沿って、特に、図中のメジアン半径（中央半径，中心半径）に沿って、角度分布させられていてよい。
【００５４】
さらに、感知素子４ａ、４ｂを、
【００５５】
【数１０】
2019191155.tif 000012
【００５６】
のオーダの読取エアギャップ距離だけ、磁気トラック２から離間させて配置することによって、検出される信号の正弦波性と振幅との間の良好な妥協点が得られる。特に、エンコーダ１の極対数Ｎｐｐが６未満であっても、極幅Ｌｐが２〜６ｍｍであり得るので、この最適な配置が可能となる。
【００５７】
従って、感知素子４ａ、４ｂの円周方向の配置は、特に以下の利点を有する。
【００５８】
−２つの素子４ａ、４ｂ間の距離は、安価であり、かつ、高い線形性を有するディスクリートコンポーネント（個別の部品）（１Ｄのホールセンサ）を使用するために十分に大きい；
−素子４ａ、４ｂの円周方向の位置決め許容差（位置トレランス）は、センサの精度に大きな影響を与えない（これらの素子が離間している距離は大きいため）；
−２つの素子４ａ、４ｂは、エンコーダ１の中央半径Ｒに沿って配置されているので、これらの素子はエッジ効果によってあまり悪影響を受けない（not disturbed much）；
−感知素子４ａ、４ｂの配置は、磁極幅Ｌｐに依存しない；
−読取半径Ｒは、磁気信号の品質にごくわずかしか影響を与えない。
【００５９】
各グループの感知素子４ａ、４ｂから送出されるＳＩＮ信号、ＣＯＳ信号を出力するために、センサは、前記グループの２つの感知素子４ａ、４ｂによって送出された信号Ｖ１、Ｖ２を減算するためのデバイスを備える。
【００６０】
その結果、φ２−φ１がγに等しくなるように、感知素子４ａ、４ｂをそれぞれφ１およびφ２の磁気角で配置することにより、送出される信号Ｖ１、Ｖ２を、下記の式、
【００６１】
【数１１】
2019191155.tif 000013
【００６２】
の通り記載することができる。ωは、回転速度である。Ｈｉは、ｉ＝１に対応する基本波の振幅、および、ｉ＝３、５等に対応するｉ次高調波の振幅である。
【００６３】
すなわち、角度γだけ離間した２つの感知素子４ａ、４ｂによって送出される信号Ｖ１およびＶ２の減算は、下記の式、
【００６４】
【数１２】
2019191155.tif 000014
【００６５】
の通り記載される。
【００６６】
図２は、角度γに応じた３次高調波のフィルタリングを示す。３次高調波のフィルタが、基本波の振幅に対してフィルタリングを行うことなく、３次高調波から少なくとも３ｄＢを除去する役割を果たす場合を考える。そうすると、下記の式、
【００６７】
【数１３】
2019191155.tif 000015
【００６８】
が必要となる。
【００６９】
従って、３次高調波のフィルタリングでは、角度γは、
（ｉ）０．５５π＜γ．Ｎｐｐ＜０．８３π，ｍｏｄｕｌｏ  ２π
または、
（ｉｉ）１．１７π＜γ．Ｎｐｐ＜１．４５π，ｍｏｄｕｌｏ  ２π
を満たす。
【００７０】
回転パラメータを決定するために、処理されるＳＩＮ信号およびＣＯＳ信号における３次高調波を除去すること、または当該３次高調波を少なくとも減衰させることは、前記決定の精度向上に有益であるだけではなく、以下をもたらす信号処理アルゴリズムに関しても有益である。
【００７１】
−ＳＩＮチャネルおよびＣＯＳチャネルのオフセットの除去；
−ＳＩＮチャネルおよびＣＯＳチャネルの振幅の均等化；
−ＳＩＮチャネルとＣＯＳチャネルとの間の位相補正。
【００７２】
最適には、フィルタリングにおいて、角度γは、
γ．Ｎｐｐが、
（ｉ）２π／３  ｍｏｄｕｌｏ  ２π
または、
（ｉｉ）４π／３  ｍｏｄｕｌｏ  ２π
に実質的に等しくなる角度である。この場合、３次高調波は、下記の式、
【００７３】
【数１４】
2019191155.tif 000016
【００７４】
の通りキャンセル（相殺）されるためである。
【００７５】
しかし、この角度γは、感知素子４ａ、４ｂのグループによって送出されるＳＩＮ信号およびＣＯＳ信号に、√３のゲイン（利得）を生じさせる。このため、フィルタリングとゲインとのペアを最適化するために、前記角度を上述の範囲で変化させる場合もある。
【００７６】
図１に関連して、４つの磁極対を有する電動モータの制御に特に適したシステムが以下に説明される。前記システムは、１対のモータ磁極の絶対的な位置（すなわち、機械角９０°）を提供する。
【００７７】
これを行うために、エンコーダ１は、４つの磁極対を備える（Ｎｐｐ＝４）。感知素子４ａ、４ｂのグループは、直交した位相のＳＩＮ信号およびＣＯＳ信号を各磁極対に送出する。これにより、モータを制御するためのセンサまたはコンピュータが、９０°の角度セクタ（部分）における絶対的な角度位置を決定することが可能となる。
【００７８】
図１に関して、センサは、２つの感知素子４ａ、４ｂを有している。感知素子４ａ、４ｂは、当該感知素子４ａ、４ｂ間に、
【００７９】
【数１５】
2019191155.tif 000017
【００８０】
の角度γを形成する。感知素子４ａ、４ｂのグループ間の角度αは、
【００８１】
【数１６】
2019191155.tif 000018
【００８２】
である。
【００８３】
【数１７】
2019191155.tif 000019
【００８４】
のオーダの読取エアギャップ距離における、信号の良好な正弦波性のために、システムは、モータを制御するためのコンピュータに、ロータの１対のモータ磁極上の絶対的な角度位置を、正確に送出できる。このことは、特に、以下のことを可能にする。
【００８５】
−特に始動時における、より良好な性能（例：設定速度または設定位置に到達するまでの時間）；
−安定状態においてトルク痙動（ジャーキング）が生じない「より滑らかな（スムーズな）」動作；
−より低い消費エネルギー；
−より低い動作温度；
−より大きい最大トルク。
【図面の簡単な説明】
【００８６】
【図１】本発明に係る決定システムを図式的に示す。
【図２】感知素子間の角度に応じた３次高調波のフィルタリングを示す曲線である。
【図１】
2019191155.tif 000024
【図２】
2019191155.tif 000025
【外国語明細書】
2019191155000001.pdf